(57)【要約】【課題】  トリガロックスイッチを有する打撃工具において、トリガロックスイッチの操作性を維持しつつ、不測の切り替わり動作を防止する上で有効な技術を提供する。【解決手段】  打撃工具１０１は、モータ１１１と、作業工具本体１０３と、工具ビット１１９と、グリップ１０９と、作業工具本体の後部とグリップの上部とを連接する連接領域１０９ｂと、作業者による引き操作によってモータを通電駆動するモータ駆動位置に移動され、引き操作が解放されることに伴いモータの通電駆動を停止するモータ停止位置に戻されるトリガ１３１と、を有する。また連接領域１０９ｂの上面、または左右双方の側面に配置されたトリガロックスイッチ１５１を有する。トリガロックスイッチ１５１は、連接領域１０９ｂの外表面に沿う方向に操作されてトリガ１３１をモータ駆動位置にロックするトリガロック位置とトリガ１３１のロックを解除するトリガロック解除位置との間で切り替えられる構成とした。【選択図】  図３
2008119755.tif 000002
【特許請求の範囲】
【請求項１】
モータと、
前記モータを収容する作業工具本体と、
前記作業工具本体の先端領域に取り付けられ、前記モータによって駆動されて長軸方向に打撃動作を行う工具ビットと、
前記作業工具本体の、前記工具ビットと反対側の後側に配置されて前記工具ビットの長軸方向と交差する方向に延在するグリップと、
前記工具ビットの長軸方向に延びて前記作業工具本体の後部と前記グリップの上部とを連接する連接領域と、
前記グリップに配置され、作業者による引き操作によって前記モータを通電駆動するモータ駆動位置に移動され、前記引き操作が解放されることに伴い前記モータの通電駆動を停止するモータ停止位置に戻されるトリガと、を有する打撃工具であって、
前記連接領域の上面、または左右双方の側面に配置されたトリガロックスイッチを有し、前記トリガロックスイッチは、前記連接領域の外表面に沿う方向に操作されて前記トリガを前記モータ駆動位置にロックするトリガロック位置と前記トリガのロックを解除するトリガロック解除位置との間で切り替えられる構成としたことを特徴とする打撃工具。
【請求項２】
請求項１に記載の打撃工具であって、
前記トリガロックスイッチの操作方向は、前記トリガの引き操作方向と同方向に設定されていることを特徴とする打撃工具。
【請求項３】
請求項２に記載の打撃工具であって、
前記トリガロックスイッチは、前記トリガロック位置と前記トリガロック解除位置との間で切替操作される切替操作部材と、前記トリガが前記モータ駆動位置に引き操作された際、当該引き操作された前記トリガの戻り方向の前面部に向って回動して当該前面部に係止する係止部材と、を有し、
前記切替操作部材は、前記トリガが前記モータ駆動位置に引き操作された状態において前記トリガロック位置に切替操作されたとき、前記係止部材に対して当該切替操作部材の操作方向と交差する方向から当接し、これにより作業者が前記トリガの引き操作を解放しても前記係止部材の前記前面部に対する係止状態を維持する構成としたことを特徴とする打撃工具。
【発明の詳細な説明】
【技術分野】
【０００１】
本発明は、工具ビットを長軸方向に打撃動作することにより、被加工材に対するハンマ作業やケレン作業等の加工作業を行う打撃工具に関する。
【背景技術】
【０００２】
被加工材に対してハンマ作業を遂行することができる打撃工具は、例えば特開２００１−６２７５６号公報（特許文献１）に開示されている。この特許文献１に記載の打撃工具においては、工具ビットと、工具ビットを駆動するモータと、モータに対する通電をオン・オフする電源スイッチと、電源スイッチを操作するトリガと、工具ビットの動作モードを切り替えるモード切替部材を有している。そしてモード切替部材によって、工具ビットに打撃動作のみを行わせるハンマモードと、工具ビットに打撃動作と回転動作とを行わせるハンマドリルモードとに切り替えることができる構成とされている。またモード切替部材をハンマモードに切り替えた状態において、作業者によって引き操作されたトリガを、電源スイッチをオンとするモータ駆動位置にロック（いわゆる、ロックオン）し、トリガの引き操作を解除してもトリガのロック状態を維持できるロックオン機構（以下、トリガロックスイッチという）を備えている。
公報に記載のトリガロックスイッチは、電源スイッチをオンにするモータ駆動位置へと引き操作されたトリガと係止することによって、当該トリガをモータ駆動位置にロックする係止部材を有する。係止部材は、ハウジングの後端部分から後方のグリップに向って水平に延びるグリップ連接部の側面に配置されている。係止部材は、グリップ連接部の左右双方の側面を貫通して工具ビット長軸方向と交差する水平方向に延びるとともに、延在方向の各端部がグリップ連接部の側面から突出されている。そして係止部材は、一方の突出端部を手指で押されることでトリガをロックするトリガロック位置に移動され、他方の突出部を押されることでトリガのロックを解除するトリガロック解除位置に移動される構成である。
【０００３】
公報に記載のトリガロックスイッチの場合、係止部材がグリップ連接部の左右の側面を貫通する構成のため、グリップを握ってトリガを引き操作する手と同じ手で係止部材を操作すると仮定した場合、右手、左手のいずれの手でも操作することが可能なため、操作性がよいという長所を有する。ところで、例えば作業現場において、ハンマドリルを地面等に置く場合、通常ハウジングの側面が地面に接触する横倒しの安定した姿勢で置かれる。このため、係止部材がハウジングを貫通して左右の側面から突出し、その貫通方向を切替動作方向とする公報記載のトリガロックスイッチの場合、ハンマドリルを地面等に横倒し状態に置いたとき、係止部材の突出部分が地面で押されて係止部材が不測に切り替わる可能性があり、この点でなお改良の余地がある。
【特許文献１】特開２００１−６２７５６号公報
【発明の開示】
【発明が解決しようとする課題】
【０００４】
本発明は、かかる点に鑑み、トリガロックスイッチを有する打撃工具において、トリガロックスイッチの操作性を維持しつつ、不測の切り替わり動作を防止する上で有効な技術を提供することを目的とする。
【課題を解決するための手段】
【０００５】
上記課題を達成するため、各請求項記載の発明が構成される。
請求項１に記載の発明によれば、モータと、モータを収容する作業工具本体と、作業工具本体の先端領域に取り付けられ、モータによって駆動されて長軸方向に打撃動作を行う工具ビットと、作業工具本体の、工具ビットと反対側の後側に配置されて工具ビットの長軸方向と交差する方向に延在するグリップと、工具ビットの長軸方向に延びて作業工具本体の後部とグリップの上部とを連接する連接領域と、グリップに配置され、作業者による引き操作によってモータを通電駆動するモータ駆動位置に移動され、引き操作が解放されることに伴いモータの通電駆動を停止するモータ停止位置に戻されるトリガと、を有する打撃工具が構成される。本発明における「打撃工具」は、典型的には、被加工材に対してハツリや破砕等のハンマ作業を行う電動ハンマ、あるいは溝切りや剥離等のケレン作業を行う電動ケレン等がこれに該当するが、工具ビットに長軸方向の打撃動作を行わせる電動工具を広く包含する。
【０００６】
本発明は、特徴的構成として、連接領域の上面、または左右双方の側面に配置されたトリガロックスイッチを有する。そしてトリガロックスイッチは、連接領域の外表面に沿う方向に操作されてトリガをモータ駆動位置にロックするトリガロック位置とトリガのロックを解除するトリガロック解除位置との間で切り替えられる構成とした。なお本発明における「外表面に沿う方向」とは、工具ビットの長軸方向と同方向、すなわち打撃工具の前後方向、あるいは工具ビットの長軸方向と交差する方向、すなわち打撃工具の上下方向がこれに該当する。また本発明における「トリガロック位置とトリガロック解除位置」は、連接領域の外表面に沿って配置される構成とされる。トリガロックスイッチは、好ましくは、グリップを握ってトリガを操作する手指での操作を可能とするべく当該グリップを握った手指（親指あるいは人差し指）が届く範囲に配置される。本発明においては、トリガロックスイッチを、連接領域の上面、または左右双方の側面に配置する構成としている。つまり打撃工具の軸中心線に関して左右対称に配置されているため、作業者の利き手の如何に関係なくグリップを握った手指での操作が可能である。
【０００７】
本発明によれば、モータ駆動位置に引き操作されたトリガを、当該引き操作されたモータ駆動位置にロックするためのトリガロックスイッチを有する。そしてトリガロックスイッチは、連接領域の上面、または左右双方の側面に配置されるとともに、その操作方向が連接領域の外表面に沿う方向に設定されている。このため、例えば、作業現場において、打撃工具を地面上等に横倒しの安定した姿勢で置いたとき、トリガロックスイッチが連接領域の上面に配置されていれば、当該トリガロックスイッチが地面と接触することを回避でき、またトリガロックスイッチが連接領域の側面に配置されている場合には、トリガロックスイッチが地面と接触しても、当該地面から作用する力の方向がトリガロックスイッチの操作方向と交差する方向であり、このため、トリガロックスイッチが動作されない。すなわち、本発明によれば、トリガロックスイッチが不測に切り替わることを防止できる。
【０００８】
（請求項２に記載の発明）
請求項２に記載の発明によれば、請求項１に記載の打撃工具におけるトリガロックスイッチの操作方向は、トリガの引き操作方向と同方向に設定されている。すなわち、トリガロックスイッチは、連接領域の外表面におけるトリガの引き操作方向と同方向に沿って摺動自在に配置される。このように、トリガロックスイッチの操作方向をトリガの引き操作方向と同方向に定めることで、手指を同じ方向に動かしてトリガおよびトリガロックスイッチを操作できるため、操作し易い。
【０００９】
（請求項３に記載の発明）
請求項３に記載の発明によれば、請求項１または２に記載の打撃工具におけるトリガロックスイッチは、トリガロック位置とトリガロック解除位置との間で切替操作される切替操作部材と、トリガがモータ駆動位置に引き操作された際、当該引き操作されたトリガの戻り方向の前面部に向って回動して当該前面部に係止する係止部材と、を有する。そして切替操作部材は、トリガがモータ駆動位置に引き操作された状態においてトリガロック位置に切替操作されたとき、係止部材に対して当該切替操作部材の操作方向と交差する方向から当接し、これにより作業者がトリガの引き操作を解放しても係止部材の前面部に対する係止状態を維持する構成とした。なお本発明における「前面部に向って回動」とは、典型的には、切替操作部材がトリガロック位置に切替操作される際、当該切替操作部材で押されて回動する態様がこれに該当するが、トリガのモータ駆動位置に引き操作に伴い、係止部材がそれ自体の自重によって回動しても構わない。
【００１０】
本発明によれば、トリガロック位置に切替操作された切替操作部材が、係止部材に対して当該切替操作部材の操作方向と交差する方向から当接する構成としている。したがって、トリガに付加されるバネ等による戻し力が、切替操作部材をトリガロック解除位置に向って移動させる力として作用し難くなる。むしろ切替操作部材をトリガロック位置に維持するような力、つまり切替操作部材を、当該切替操作部材の切替動作をガイドする部材に対して動作方向と交差する方向に押し付ける力として作用させることが可能となる。このため、作業者がトリガの引き操作を解放してもトリガの前面部に対する係止部材の係止状態を維持してトリガのロックオン状態を確保できる。
【発明の効果】
【００１１】
本発明によれば、トリガロックスイッチを有する打撃工具において、トリガロックスイッチの操作性を維持しつつ、不測の切り替わり動作を防止する上で有効な技術が提供されることとなった。
【発明を実施するための最良の形態】
【００１２】
（本発明の第１の実施形態）
以下、本発明の第１の実施形態につき、図１〜図７を参照しつつ詳細に説明する。本実施の形態は、打撃工具の一例として電動ハンマを用いて説明する。図１には本実施の形態に係る電動ハンマの全体構成が示され、図２〜図７にはトリガを引き操作された位置にロックするロックオン機構の構成が示される。図１に示すように、電動ハンマ１０１は、概括的に見て、電動ハンマ１０１の外郭を形成する本体部１０３と、当該本体部１０３の先端領域（図示左側）に中空状のツールホルダ１３７を介して着脱自在に取付けられたハンマビット１１９と、本体部１０３のハンマビット１１９の反対側に連接された作業者が握るハンドグリップ１０９とを主体として構成されている。ハンマビット１１９は、ツールホルダ１３７によってその長軸方向への相対的な直線動作が可能に、かつその周方向への相対的な回動が規制された状態で保持される。本体部１０３は、本発明における「作業工具本体」に対応し、ハンマビット１１９は、本発明における「工具ビット」に対応し、ハンドグリップ１０９は、本発明における「グリップ」に対応する。なお説明の便宜上、ハンマビット１１９側を前、ハンドグリップ１０９側を後という。
【００１３】
本体部１０３は、駆動モータ１１１を収容したモータハウジング１０５と、運動変換機構１１３および打撃要素１１５を収容したクランクハウジング１０７とによって構成されている。駆動モータ１１１は、本発明における「モータ」に対応する。駆動モータ１１１の回転出力は、運動変換機構１１３によって直線運動に適宜変換された上で打撃要素１１５に伝達され、当該打撃要素１１５を介してハンマビット１１９の長軸方向（図１における左右方向）への衝撃力を発生する。ハンドグリップ１０９には、駆動モータ１１１に対する通電駆動用の電源スイッチ１３３（図３および図４参照）をオン・オフ動作するトリガ１３１が設けられている。
【００１４】
運動変換機構１１３は、駆動モータ１１１によって水平面内にて回転駆動される駆動ギア１２１、被動ギア１２３、クランク軸１２２、クランク板１２５、クランクアーム１２７、および駆動子としてのピストン１２９を主体として構成され、クランク軸１２２、クランク板１２５、クランクアーム１２７およびピストン１２９によってクランク機構が構成されている。ピストン１２９は、シリンダ１４１内に摺動自在に配置されており、駆動モータ１１１が通電駆動されることに伴い当該シリンダ１４１に沿って直線動作を行う。
【００１５】
打撃要素１１５は、シリンダ１４１のボア内壁に摺動自在に配置された打撃子としてのストライカ１４３と、ツールホルダ１３７に摺動自在に配置されるとともに、ストライカ１４３の運動エネルギをハンマビット１１９に伝達する中間子としてのインパクトボルト１４５とを主体として構成される。ストライカ１４３は、ピストン１２９の摺動動作に伴うシリンダ１４１の空気室１４１ａの空気バネを介して駆動され、ツールホルダ１３７に摺動自在に配置されたインパクトボルト１４５に衝突（打撃）し、当該インパクトボルト１４５を介してハンマビット１１９に打撃力を伝達する。
【００１６】
上記のように構成される電動ハンマ１０１は、作業者によるトリガ１３１の引き操作によって電源スイッチ１３３がオン動作されて駆動モータ１１１が通電駆動されると、クランク機構を主体に構成される運動変換機構１１３を介してピストン１２９がシリンダ１４１に沿って直線状に摺動動作され、それに伴う当該シリンダ１４１の空気室１４１ａ内の空気の圧力変化、すなわち空気バネの作用により、ストライカ１４３はシリンダ１４１内を直線運動する。ストライカ１４３は、インパクトボルト１４５に衝突することで、その運動エネルギをハンマビット１１９に伝達する。かくして、ハンマビット１１９が軸方向の打撃動作を行い、被加工材（コンクリート）にハンマ作業を遂行する。
【００１７】
図３および図４に示すように、トリガ１３１は、その下部側がハンドグリップ１０９のグリップ本体部１０９ａに支軸１０９ｄを介して前後方向に回動自在に取り付けられ、作業者の引き操作によって電源スイッチ１３３をオン動作するスイッチオン位置に移動され、引き操作が解放されることに伴い電源スイッチ１３３をオフ動作するスイッチオフ位置（初期位置）に復帰される構成とされる。スイッチオン位置は、本発明における「モータ駆動位置」に対応し、スイッチオフ位置は、本発明における「モータ停止位置」に対応する。トリガ１３１のスイッチオフ位置への復帰は、便宜上図示を省略する復帰バネ、あるいは電源スイッチ１３３が有するオフ位置への復帰バネによって行われる。
【００１８】
次にハンマ作業を連続して行う場合において、作業者により引き操作されたトリガ１３１を、当該トリガ１３１から手指を離してもスイッチオン位置にロックすることができるロックオン機構１５１の構成につき、図２〜図７を参照して説明する。ロックオン機構１５１は、本発明における「トリガロックスイッチ」に対応する。ハンドグリップ１０９は、ハンマビット１１９の長軸方向と交差する上下方向に延びるグリップ本体部１０９ａと、当該グリップ本体部１０９ａの上端部および下端部において、本体部１０３の後側部分と連接される上下の連接部１０９ｂ，１０９ｃとを有する（図１参照）。上部側の連接部１０９ｂは、本発明における「連接領域」に対応する。またハンドグリップ１０９は、ハンマビット１１９の長軸方向に沿って左右に分割された二つ割りとされ、ボルト１０９ｆによって接合されている。
【００１９】
ハンドグリップ１０９の上側の連接部１０９ｂは、ハンマビット１１９の長軸方向に延びており、この連接部１０９ｂの上面に本実施の形態に係るロックオン機構１５１が配設されている（図２参照）。ロックオン機構１５１は、図３〜図５に示すように、スイッチホルダ１５３と、ロックオンボタン１５５と、ロックオンレバー１５７を主体として構成される。ロックオンボタン１５５は、本発明における「切替操作部材」に対応し、ロックオンレバー１５７は、本発明における「係止部材」に対応する。スイッチホルダ１５３は、連接部１０９ｂに形成された上方を開口する内部空間に収容されて固定されている。ロックオンボタン１５５およびロックオンレバー１５７は、スイッチホルダ１５３に組み付けられてロックオンアッセンブリーとされる。ロックオンボタン１５５は、スイッチホルダ１５３にハンマビット１１９の長軸方向、すなわち連接部１０９ｂの外表面の面方向に沿う前後方向に摺動可能に取り付けられ、引き操作されたトリガ１３１をスイッチオン位置にロックすることが可能なロックオン位置（図４に示す位置）と、当該ロックを解除することが可能なロックオン解除位置（図３に示す位置）との間で移動可能とされる。ロックオン位置は、本発明における「トリガロック位置」に対応し、ロックオン解除位置は、本発明における「トリガロック解除位置」に対応する。上記のように配置されるロックオンボタン１５５は、その操作方向がトリガ１３１の操作方向と同方向となる。
【００２０】
ロックオンボタン１５５は、図３および図４に示すように、水平に延びる概ね板状の平面部１５５ａと、当該平面部１５５ａの上面側に形成された突起状の摘み部１５５ｂを有する。摘み部１５５ｂは、図２に示すように、連接部１０９ｂの上面から突出しないように、当該連接部１０９ｂの上面開口部１０９ｇに配置され、作業者が上面開口部１０９ｇに手指を差し込んで前後方向にスライド操作できる構成とされる。またロックオンボタン１５５は、平面部１５５ａと摘み部１５５ｂとの間に円形の軸部１５５ｃを有する。この軸部１５５ｃは、スイッチホルダ１５３に設けたハンマビット１１９の長軸方向に延びるガイド溝１５３ａに摺動可能に係合され、これによってロックオンボタン１５５の摺動動作の安定化、円滑化が図られている。またガイド溝１５３ａは、ロックオンボタン１５５の移動範囲を規定する。すなわち、ロックオンボタン１５５が作業者によって前方あるいは後方にスライド操作されるとき、軸部１５５ｃがガイド溝１５３ａの前側端部１５３ｂあるいは後側端部１５３ｃに当接し、これによってロックオンボタン１５５が前述したロックオン位置あるいはロックオン解除位置に位置決めされる。すなわち、ロックオンボタン１５５のロックオン位置およびロックオン解除位置は、連接部１０９ｂの上面に沿って配置されている。
【００２１】
ロックオンレバー１５７は、ロックオンボタン１５５の平面部１５５ａの下面側に配置され、スイッチホルダ１５３に軸部１５７ａを支点にして上下方向に回動自在に支持されている。ロックオンレバー１５７は、連接部１０９ｂの下面に形成された開口部１０９ｅを通してトリガ１３１の上端面と対向するように臨んでおり、当該対向部位にはトリガ１３１の上面前部に設けた切欠１３１ａと係脱可能な係止爪１５７ｂを備えている。ロックオンレバー１５７は、トリガ１３１がスイッチオフ位置に置かれた状態（図３および図５参照）では、係止爪１５７ｂの先端がトリガ１３１の上端面に当接した位置に保持されている。
【００２２】
図７にはロックオン機構１５１の動作が示される。図７の（Ａ）は初期状態を示す。図７の（Ｂ）は作業者によってトリガ１３１が引き操作された状態が示される。この引き操作された状態において、ロックオンボタン１５５を前方のロックオン位置に向ってスライド操作すると、図７の（Ｃ）に示すように、ロックオンレバー１５７がその上面１５７ｃをロックオンボタン１５５の平面部１５５ａで押されて軸部１５７ａを中心にして下方へと回動する。そしてロックオンレバー１５７の係止爪１５７ｂがトリガ１３１の切欠１３１ａに係止され、これによりトリガ１３１がロックオン状態となる。かくして、トリガ１３１がスイッチオン位置にロックされるため、作業者は、トリガ１３１を引き操作位置に引き続ける必要がなくなり、ハンマビット１１９によるハンマ作業を楽に連続して行うことができる。この状態が図４にも示される。
図７の（Ｄ）には、ロックオンボタン１５５を後方のロックオン解除位置に向ってスライド操作した状態が示される。この状態では、ロックオンボタン１５５の平面部１５５ａがロックオンレバー１５７の上面１５７ｃから離間し、ロックオンレバー１５７の回動規制が解除される。すなわち、トリガ１３１のロックオンが解除される。そして作業者によるトリガ１３１の引き操作が解放され、当該トリガ１３１のスイッチオフ位置への復帰動作によってロックオンレバー１５７がトリガ１３１の切欠１３１ａに押されて上方へと回動され、トリガ１３１のスイッチオフ位置への復帰を許容する。この状態が図７の（Ｅ）に示される。
【００２３】
ロックオン機構１５１は、ロックオンボタン１５５を切替操作された位置に保持する位置保持機構部１６１を有する。位置保持機構部１６１は、図２および図３に示すように、鋼球１６３と、当該鋼球１６３が嵌合可能なロックオン位置用の断面円弧状の溝部１６５ａおよびロックオン解除位置用の断面円弧状の溝部１６５ｂと、鋼球１６３を溝部１６５ａ，１６５ｂに向けて付勢するコイルスプリング１６７とを主体として構成されている。溝部１６５ａ，１６５ｂは、スイッチホルダ１５３に設けられる。鋼球１６３はコイルスプリング１６７を介してロックオンボタン１５５に設けられている。そして作業者によってロックオンボタン１５５がロックオン位置とロックオン解除位置との間で切替操作されるとき、ロックオン位置用の溝部１６５ａとロックオン解除位置用の溝部１６５ｂに対して鋼球１６３が選択的に係合される。これによってハンマ作業時に電動ハンマ１０１に生ずる振動でロックオンボタン１５５が遊動することを抑える。
【００２４】
本実施の形態に係る電動ハンマ１０１は、上記のように構成される。本実施例においては、ハンドグリップ１０９の上側の連接部１０９ｂにおける上面にロックオン機構１５１を配置している。このため、作業者は、利き手の如何に関係なくハンドグリップ１０９を握った手指（親指あるいは人差し指）を使ってロックオンボタン１５５を操作することが可能となる。すなわち、本実施形態の電動ハンマ１０１では、片手による、トリガ１３１の引き操作およびロックオン機構１５１の操作を可能とするものであり、このような片手操作を可能とするために、ロックオン機構１５１は、可能な限りトリガ１３１に接近した上方位置に配置される。このことによって操作性の良いロックオン機構１５１が提供される。また電動ハンマ１０１を、作業現場の地面上等に安定した横倒しの姿勢で置いた場合、連接部１０９ｂの上面に配置されたロックオンボタン１５５は、地面に接触することがない。このため、ロックオンボタン１５５の不測の切り替わりを防止できる。
【００２５】
また本実施の形態では、ロックオンボタン１５５の操作方向をトリガ１３１の操作方向と同じ方向、すなわち前後方向に定めることで、各手指を同じ方向に動かしてトリガ１３１およびロックオンボタン１５５を操作できるようにし、ロックオンボタン１５５を操作し易くしている。その上で、本実施の形態では、トリガ１３１のロックオン状態を確実なものとするために、トリガ１３１とロックオンボタン１５５との間に、ロックオンボタン１５５の動作方向である前後方向と交差する上下方向に動作するロックオンレバー１５７を配置している。そしてロックオンレバー１５７に設けた係止爪１５７ｂが引き操作されてスイッチオン位置に置かれたトリガ１３１の切欠１３１ａに係止した状態で、当該係止の解除方向である上方への回動動作をロックオンボタン１５５の平面部１５５ａによって規制する構成としている。
【００２６】
すなわち、本実施の形態によれば、ロックオンレバー１５７に対し、ロックオンボタン１５５が当該ロックオンボタン１５５の操作方向と交差する方向から当接することによってトリガ１３１に対するロックオンレバー１５７の係止を保持する構成としている。このため、トリガ１３１に付加されるバネ等による戻し力が、ロックオンボタン１５５をトリガロック解除位置に向って移動させる方向の力として作用し難くなり、むしろロックオンボタン１５５をスイッチホルダ１５３に押し付けることでスイッチオン位置に維持する力として作用させることが可能となる。このように、本実施の形態によれば、ロックオンボタン１５５の操作方向をトリガ１３１の操作方向に合せることで、ロックオンボタン１５５の良好な操作性を維持しつつ、ハンマ作業時の振動等に拘わらず、トリガ１３１のロックオン状態を確実に維持できる。
【００２７】
また本実施の形態では、摘み部１５５ｂを連接部１０９ｂの上面開口部１０９ｇに配置して当該連接部１０９ｂの上面から突出しない構成としている。このため、例えば電動ハンマ１０１によるハンマ作業中において、摘み部１５５ｂが他物と干渉することを回避して干渉に原因するロックオンボタン１５５の切り替わり動作を防止できる。
【００２８】
ところで、電動ハンマ１０１は、本体部１０３とハンドグリップ１０９は、それぞれ別体として製作した後で、互いに組み付けられる。本実施の形態では、本体部１０３とハンドグリップ１０９とを連接する連接部１０９ｂにつき、これをハンドグリップ１０９に設けている。このため、トリガ１３１およびロックオン機構１５１の組み付けを１つの部材、すなわちハンドグリップ１０９に集中して行うこととなり、組付け性を向上できる。また本実施の形態におけるロックオン機構１５１は、ロックオンボタン１５５およびロックオンレバー１５７を、スイッチホルダ１５３に組み付けることでロックオンアッセンブリーとする構成のため、連接部１０９ｂに対する組み付けを楽に行うことができる。
【００２９】
（本発明の第２の実施形態）
次に本発明の第２の実施形態の係る電動ハンマ１０１につき、図８〜図１３を参照して説明する。この実施形態は、第１の実施形態で説明したロックオン機構１５１の変更例であり、ロックオン機構１５１を除いては、前述した第１の実施の形態と同様に構成される。このため、第１の実施の形態と同様の構成部材については、同一符号を付してその説明を省略する。本実施形態に係るロックオン機構１７１は、図８および図９に示すように、ハンドグリップ１０９の上側の連接部１０９ｂの側面に配置されている。ロックオン機構１７１は、本発明における「トリガロックスイッチ」に対応する。ロックオン機構１７１は、前述した第１の実施形態と同様に、図１０〜図１２に示すように、スイッチホルダ１７３にロックオンボタン１７５およびロックオンレバー１７７が組み付けられたロックオンアッセンブリーとして構成される。ロックオンボタン１７５は、本発明における「切替操作部材」に対応し、ロックオンレバー１７７は、本発明における「係止部材」に対応する。
【００３０】
スイッチホルダ１７３は、連接部１０９ｂの内部空間に、当該内部空間を左右方向（ハンマビット１１９の長軸方向と交差する水平方向）に貫通した状態で配置されている。ロックオンボタン１７５は、スイッチホルダ１７３にハンマビット１１９の長軸方向、すなわち連接部１０９ｂの外表面の面方向に沿う前後方向に摺動可能に取り付けられ、引き操作されたトリガ１３１をスイッチオン位置にロックすることが可能なロックオン位置（図１１に示す位置）と、当該ロックを解除することが可能なロックオン解除位置（図１０に示す位置）との間で移動可能とされる。
【００３１】
ロックオンボタン１７５は、左右方向に水平に延びる概ね板状の平面部１７５ａと、当該平面部１７５ａの延在端部のそれぞれ形成された突起状の左右の摘み部１７５ｂを有する。左右の摘み部１７５ｂは、図１２に示すように、連接部１０９ｂの左右の側面から側方に突出されている。またスイッチホルダ１７３の前端部には、連接部１０９ｂの側面から側方に向って突出する突片１７３ｂが設けられている。そして摘み部１７５ｂの突出量については、突片１７３ｂの端面とグリップ本体部１０９ａの側面とを結ぶ直線を越えて側方に突出しないように設定されている。またロックオンボタン１７５は、平面部１７５ａと摘み部１７５ｂとの間に円形の軸部１７５ｃを有する。この軸部１７５ｃは、図１３に示すように、スイッチホルダ１７３に設けたハンマビット１１９の長軸方向に延びるガイド溝１７３ａに摺動可能に係合され、これによってロックオンボタン１７５の摺動動作の安定化、円滑化が図られている。またガイド溝１７３ａは、ロックオンボタン１７５の移動範囲を規定する。すなわち、ロックオンボタン１７５が作業者によって前方あるいは後方にスライド操作されるとき、軸部１７５ｃがガイド溝１７３ａの前側端部１７３ｃあるいは後側端部１７３ｄに当接し、これによってロックオンボタン１７５が前述したロックオン位置あるいはロックオン解除位置に位置決めされる。すなわち、ロックオンボタン１７５のロックオン位置およびロックオン解除位置は、連接部１０９ｂの側面に沿って配置されている。
【００３２】
ロックオンレバー１７７は、ロックオンボタン１７５の平面部１７５ａの下面側に配置され、スイッチホルダ１７３に軸部１７７ａを支点にして上下方向に回動自在に支持されている。またロックオンレバー１７７は、連接部１０９ｂの下面側の開口部１０９ｅを通してトリガ１３１の切欠１３１ａと係脱可能な係止爪１７７ｂを有する。そしてトリガ１３１がスイッチオフ位置に置かれた状態では、係止爪１７７ｂの先端がトリガ１３１の上面に当接した位置に保持されている。
【００３３】
本実施の形態に係るロックオン機構１７１は、上記のように構成される。したがって、作業者が手指によりトリガ１３１をスイッチオン位置に引き操作した状態において、ロックオンボタン１７５の摘み部１７５ｂを前方のロックオン位置に向ってスライド操作すると、ロックオンレバー１７７がその上面１７７ｃをロックオンボタン１７５の平面部１７５ａで押されて軸部１７７ａを中心にして下方へと回動する。そしてロックオンレバー１７７の係止爪１７７ｂがトリガ１３１の切欠１３１ａに係止され、これによりトリガ１３１がロックオン状態となる。かくして、トリガ１３１がスイッチオン位置にロックされるため、作業者は、トリガ１３１を引き操作位置に引き続ける必要がなくなり、ハンマビット１１９によるハンマ作業を楽に連続して行うことができる。
【００３４】
またロックオン機構１７１は、ロックオンボタン１７５を切替操作された位置に保持する位置保持機構部１８１を有する。位置保持機構部１８１は、図１０および図１１に示すように、ロックオン位置用の溝部１８５ａおよびロックオン解除位置用の断面円弧状の溝部１８５ｂと、それら溝部１８５ａ，１８５ｂに対して弾発状に係合する半球面状の突部１８３を有するリーフスプリング１８７とを主体として構成されている。溝部１８５ａ，１８５ｂは、スイッチホルダ１７３に設けられる。リーフスプリング１８７は、ロックオンボタン１７５に設けられている。そして作業者によってロックオンボタン１７５がロックオン位置とロックオン解除位置との間で切替操作されるとき、ロックオン位置用の溝部１８５ａとロックオン解除位置用の溝部１８５ｂに対してリーフスプリング１８７の突部１８３が選択的に係合される。これにより、当該ロックオンボタン１７５を切替操作された位置に保持してハンマ作業時に電動ハンマ１０１に生ずる振動でロックオンボタン１７５が遊動することを抑える。
【００３５】
上記のように構成された第２の実施形態に係るロックオン機構１７１は、前述した第１の実施形態のロックオン機構１５１と同様の作用効果を得ることができる。すなわち、ロックオン機構１７１をハンドグリップ１０９の上側の連接部１０９ｂにおける左右双方の側面に配置している。つまりロックオン機構１７１のロックオンボタン１７５が電動ハンマ１０１の軸中心線に関して左右対称的に配置されている。このため、作業者は、利き手の如何に関係なくハンドグリップ１０９を握った手の指（親指あるいは人差し指）を使ってロックオンボタン１７５を操作することが可能となる。
【００３６】
また電動ハンマ１０１を、作業現場の地面上等に横倒しの安定した姿勢で置く場合、ロックオンボタン１７５の摘み部１７５ｂの連接部１０９ｂ側面からの突出量が、グリップ本体１０９ａの側面とスイッチホルダ１７３の突片１７３ｂの端面とを結ぶ直線よりも内側となるように設定してあるため、摘み部１７５ｂが地面に接触することを回避してトリガロックボタン１７５の不測の切り替わりを防止できる。この場合、仮に突片１７３ｂが地面側から押圧されたとしても、その押圧方向はロックオンボタン１７５の動作方向とは交差する方向であるため、ロックオンボタン１７５の切り替わりが防止される。
【００３７】
またトリガ１３１をスイッチオン位置にロックしたロックオン状態において、ロックオンレバー１７７の上面１７７ｃに対し、ロックオンボタン１７５が当該ロックオンボタン１７５の操作方向と交差する方向から当接する構成のため、トリガ１３１の切欠１３１ａに対するロックオンレバー１７７の係止爪１７７ｂの係止状態が維持される。このため、ロックオンボタン１７５の操作方向をトリガ１３１の操作方向に合せる構成としつつ、ハンマ作業時の振動に拘わらず、トリガ１３１のロックオン状態を確実に維持することが可能となる。
【００３８】
なお本発明の趣旨に鑑み、以下の態様を構成することが可能である。
（態様１）
「請求項３に記載の打撃工具であって、
前記切替操作部材は、前記連接領域上面に配置されるとともに、作業者によって操作される摘み部を有し、前記摘み部は、前記連接領域の上面に形成された開口部内に置かれ、前記上面からの突出が抑えられていることを特徴とする打撃工具。」
態様１に記載の発明によれば、打撃工具による加工作業中において、摘み部が他物に干渉することを合理的に防止できる。
【００３９】
（態様２）
「請求項３に記載の打撃工具であって、
前記切替操作部材は、前記連接領域の左右双方の側面に配置されるとともに、前記連接領域の側面から所定の突出高さで突出されて作業者によって操作される摘み部を有し、前記連接領域の側面には、少なくとも前記側面から突出された前記摘み部の突出高さと同程度の突出高さを有する突片が設けられ、これにより前記打撃工具を横倒しの状態で地面等に置いたとき、前記摘み部が地面等に接触することを防止する構成としたことを特徴とする打撃工具。」
態様２に記載の発明によれば、切替操作部材の不測の切り替わり防止効果をより高めることができる。
【００４０】
（態様３）
「請求項１〜３または態様１，２のいずれか１つに記載の打撃工具であって、
前記連接領域は、前記グリップに形成されていることを特徴とする打撃工具。」
態様３に記載の発明によれば、グリップにトリガおよびトリガロックスイッチを組付けてから、当該グリップを作業工具本体に組付けることができる。このため、トリガおよびトリガロックスイッチの組付け性が向上する。
【図面の簡単な説明】
【００４１】
【図１】本発明の実施形態に係る電動ハンマの全体構成を示す側断面図である。
【図２】第１の実施形態に係るロックオン機構を有するハンドグリップを示す斜視図である。
【図３】トリガおよびロックオン機構を示す断面図であり、トリガのロックオンが解除された初期状態を示す。
【図４】トリガおよびロックオン機構を示す断面図であり、トリガのロックオン状態を示す。
【図５】図３および図４と異なる部位で切断したトリガおよびロックオン機構を示す断面図である。
【図６】図３におけるVI−VI線断面図である。
【図７】ロックオン機構の動作を段階的に示す説明図である。
【図８】第２の実施形態に係るロックオン機構を有するハンドグリップの側面図である。
【図９】同じくハンドグリップの正面図である。
【図１０】トリガおよびロックオン機構を示す断面図であり、トリガのロックオンが解除された初期状態を示す。
【図１１】トリガおよびロックオン機構を示す断面図であり、トリガのロックオン状態を示す。
【図１２】図１０におけるXII−XII線断面図である。
【図１３】図１２におけるXIII−XIII線断面図である。
【符号の説明】
【００４２】
１０１  電動ハンマ（打撃工具）
１０３  本体部（作業工具本体）
１０５  モータハウジング
１０７  クランクハウジング
１０９  ハンドグリップ
１０９ａ  グリップ本体部
１０９ｂ  上の連接部（連接領域）
１０９ｃ  下の連接部
１０９ｄ  支軸
１０９ｅ  開口部
１０９ｆ  ボルト
１０９ｇ  上面開口部
１１１  駆動モータ（モータ）
１１３  運動変換機構
１１５  打撃要素
１１９  ハンマビット（工具ビット）
１２１  駆動ギア
１２２  クランク軸
１２３  被動ギア
１２５  クランク板
１２７  クランクアーム
１２９  ピストン
１３１  トリガ
１３１ａ  切欠
１３３  電源スイッチ
１３７  ツールホルダ
１４１  シリンダ
１４１ａ  空気室
１４３  ストライカ
１４５  インパクトボルト
１５１  ロックオン機構（トリガロックスイッチ）
１５３  スイッチホルダ
１５３ａ  ガイド溝
１５５  ロックオンボタン（切替操作部材）
１５５ａ  平面部
１５５ｂ  摘み部
１５５ｃ  軸部
１５７  ロックオンレバー（係止部材）
１５７ａ  軸部
１５７ｂ  係止爪
１５７ｃ  上面
１６１  位置保持機構
１６３  鋼球
１６５ａ  ロックオン位置用の溝部
１６５ｂ  ロックオン解除位置用の溝部
１６７  コイルスプリング
１７１  ロックオン機構（トリガロックスイッチ）
１７３  スイッチホルダ
１７３ａ  ガイド溝
１７３ｂ  突片
１７５  ロックオンボタン（切替操作部材）
１７５ａ  平面部
１７５ｂ  摘み部
１７５ｃ  軸部
１７７  ロックオンレバー（係止部材）
１７７ａ  軸部
１７７ｂ  係止爪
１７７ｃ  上面
１８１  位置保持機構
１８３  突部
１８５ａ  ロックオン位置用の溝部
１８５ｂ  ロックオン解除位置用の溝部
１８７  リーフスプリング
【図１】
2008119755.tif 000003
【図２】
2008119755.tif 000004
【図３】
2008119755.tif 000005
【図４】
2008119755.tif 000006
【図５】
2008119755.tif 000007
【図６】
2008119755.tif 000008
【図７】
2008119755.tif 000009
【図８】
2008119755.tif 000010
【図９】
2008119755.tif 000011
【図１０】
2008119755.tif 000012
【図１１】
2008119755.tif 000013
【図１２】
2008119755.tif 000014
【図１３】
2008119755.tif 000015